(57)【要約】      （修正有）【課題】汎用性があり、耐久性の高い仕切り体用トムソン型を提供するとともに、容易に組み立て及び分解ができ、かつ、組み立てて開いた状態でも外れ難く、嵩低く折り畳むことができる仕切体を提供する。【解決手段】矩形状の外枠７に複数の組み込み部６が形成されたトムソン型の組み込み部６における上部溝幅を板紙厚さに関係なく広幅に設定すると共に組み込み溝の底部形状を先細り形状となるように刃を植設する。さらに組み込み溝の下方へ連続して波型刃物を配設して、先端部を左又は右あるいは両側へ延設する。また、切り込み係合部の近傍に被切断材を圧縮するスポンジ等の弾性材を形成するのである。【選択図】図１
0003180329.tif 000002
【実用新案登録請求の範囲】
【請求項１】
仕切り体を打ち抜く、基台に矩形状の外枠と複数の組み込み部から構成されるトムソン刃を植設した打ち抜き型であって、
上方に向け広がった開口部を有し、底部が先細り形状となった組み込み溝形状に合わせてトムソン刃を配し、組み込み溝に弾性体を接着すると共に、組み込み溝から下方に向け係合部を形成する波型トムソン刃を植設したことを特徴とするトムソン型。
【請求項２】
係合部を形成する波型トムソン刃の下端部を屈曲して植設したことを特徴とする請求項１記載のトムソン型。
【請求項３】
複数枚の仕切り体を組み合わせて形成する組み仕切りであって、
上部端縁から下方に向けて複数形成された、組み込み溝の上部開口部を上開きの形状とすると共に、底部を係合部へと傾斜する形状とし、組み込み溝下方に波型形状の係合部を連続して設けたことを特徴とする仕切り体。
【請求項４】
組み込み溝下方に連続して形成する係合部の端部を屈曲させたことを特徴とする請求項３記載の仕切り体。
【考案の詳細な説明】
【技術分野】
【０００１】
本考案は、シート状部材の打ち抜き型とこれを使用して製造される箱体内部に使用される仕切り体に関するものである。より詳しくは、汎用性及び耐久性を高めた仕切り用打ち抜き型と組立、分解が容易で脱落防止効果の高い仕切り体に関するものである。
【背景技術】
【０００２】
紙や段ボール紙、プラスチックシート、或いは液晶基板などのシート状部材を打抜き加工する場合、装置的に複雑にならず且つ設備コストを低廉に抑えられるトムソン加工を実施することが多い。
【０００３】
このトムソン加工は、トムソン刃を折り曲げ加工して、型板に打抜き形状を枠取りするように組み込んでトムソン刃の刃先を被切断材の表面に平行な直線状になるように配置し、鉄板等の受け台上に載置された被切断材に刃先の全長を被切断材に押し付けて切断しており、トムソン刃の両側に面して弾性を有するサポート部材が配設されている（特許文献１）。
【０００４】
一方、運搬、保存用収納容器の内部仕切り板は複数の、矩形状の仕切り板に形成された係合溝同士を噛み合わせて井桁状に組み立てている。この係合溝が直線状であると係合しづらくまた、段ボール等の波板など板厚がある部材の場合は所定の幅を有する係合溝を形成する必要があり、組立後の仕切り板の脱落防止のための種々の工夫がなされている（特許文献２−５）。
【０００５】
また、罫線形成具として罫線刃を波形形状に形成したものや（特許文献６）、ラップラウンド式包装容器に周期的に湾曲して対称形状となった２本の波状切目線から成る開封用の引裂帯を設けたり、開封用ジッパーとして、サインカーブ状の連続する波形切れ目線を箱体に形成することがある（特許文献７）。
【先行技術文献】
【特許文献】
【０００６】
【特許文献１】特開H０８−１９７５００号公報
【特許文献２】特開２０１１−１６５３４号公報
【特許文献３】特開２００６ッ１８８２３９号公報
【特許文献４】実用新案登録第３０４８５２６号公報
【特許文献５】実用新案登録第３１７１３９３号公報
【特許文献６】特開２００４−２５３１１号公報
【特許文献７】実用新案登録第３１０７９６８号公報
【考案の概要】
【考案が解決しようとする課題】
【０００７】
仕切り体を製造するトムソン型における係合溝は、仕切り体の板厚によって異なるため、所定幅にトムソン刃を二列平行に基台上に取り付けると共に、当該溝に押し出し用弾性部材を配置して係合溝の型抜き（打ち抜き）と同時に抜きしろのカス取り作業を行う必要がある。
【０００８】
ところが、EフルートやBフルート等の厚みが３mm以下の段ボールや板紙等を素材とする仕切りでは係合溝巾を１．６mmから３mm程度の細い溝幅とする必要があるが、細い溝幅の金型加工は難しく、左右のトムソン刃の高さの微調整に時間がかかる。
【０００９】
また、カス取り用の弾性部材として柔らかいスポンジではなくゴムやコルク等の硬質素材を使用しないとうまく型抜き作業が行えなかった。この時、押し出し用弾性部材が変形して、左右の刃物がそれぞれ外側へ膨らんで変形する。すると、設計寸法より製品溝幅の出来上がり寸法が大きくなり仕切り板を組んだ時に抜けやすくなったり、最悪の場合は溝幅部分のトムソン刃が破壊されたりして、トムソン型の耐久性を著しく損なうことになる。また、打ち抜き作業後の細い溝屑の落丁作業は困難で手間がかかっていた。
【００１０】
また、トムソン型における係合溝部分の刃の長さが長くなると、切断圧が高くなって切断性能が悪くなり、一定の切断性能を維持するためには、所定面積に形成する係合溝の数に制限があった。
【００１１】
一方、組み立て後の仕切り板脱落防止のために係合溝の形状については種々の工夫がなされている。
【００１２】
係合溝をくの字状に屈曲させて係合しやすくしたり（特許文献２）、切り込み溝に仕切り板の厚み幅より狭い挟持部を形成してこれによって仕切り板を挟持したり（特許文献３）、一の仕切り板に係合孔、他の仕切り板に突起部を形成して、互いにこれらを嵌合させている（特許文献４、５）。
【００１３】
ところが、係合溝の形状が複雑になると組み立てに手間がかかるだけでなく、係合強度が強すぎると使用後の仕切り体の分解作業がしづらくなる。
【００１４】
また、係止孔を設けると、係合溝よりさらに困難な打ち抜き屑の落丁作業が生じて、面倒な作業工程が増えるだけでなく、打ち抜き屑の取り残しが包装物にまぎれて箱内に混入することもある。
【００１５】
また、あらかじめ仕切り体を組んで折り畳んでおくときの工夫がされていないと嵩が高くなり、またばらけやすくなる。
【００１６】
また、トムソン型の抜き型刃としては、直線状のものだけでなく波型形状のものもあるが、罫線形成具あるいは切り目線を形成するために使用されており（文献６、７）、組み仕切りにおける係合溝形成を主目的として使用されることはなかった。
【００１７】
そこで、本願では汎用性があり、耐久性の高い仕切り体用トムソン型を提供するとともに、容易に組み立て及び分解ができ、かつ、組み立てて開いた状態でも外れ難く、嵩低く折り畳むことができる仕切体を提供することを目的としてなされた。
【課題を解決するための手段】
【００１８】
そこで、本考案にかかる仕切り体を形成する打ち抜き型では矩形状の外枠に複数の組み込み部が形成されたものであって、当該組み込み部における上部溝幅を板紙厚さに関係なく広い一定幅に設定し、二本の刃を並列して、開口部より狭く形成した組み込み溝の底部形状を先細り形状となるようにトムソン刃を植設し、組み込み溝の中に打ち抜きカスの押し出し弾性体を配設する。
【００１９】
さらに組み込み溝の下方へ連続して波型のトムソン刃を植設するのである。また当該波型形状を呈するトムソン刃の先端部を左又は右へ折り曲げて延設し、波型トムソン刃の両側にスポンジ等から成る弾性体を配して基台に固着し、被切断材となる仕切り体の係合部付近を圧縮させる。
【００２０】
本願の仕切り体は、矩形状の外枠に複数の組み込み部が等間隔で形成された組み仕切りであって、組み込み溝の上部を上方に拡開させるとともに、先細り状の底面形状とし、さらに波型形状から成る係合部を組み込み溝に連続して形成するのである。
【考案の効果】
【００２１】
一般的によく使用される範囲の厚みを有する仕切り体であっても、板厚よりもかなり幅広の上部溝への挿入作業となるため、組み込み時のシート入れが容易になる。
【００２２】
組み込み溝底部を先細り形状に形成したため、シート入れ込み位置が係合溝と多少ずれていても、係合溝に自動的に誘導されて組み込みが適正に行われる。
【００２３】
波型トムソン刃による切り込みによりシートの入れ込み時には切り込み波型の凹凸が互いに左右に撓んで組み込みやすく、一旦組み込まれたあとは凹凸が噛み合って天地を逆にしても脱落することはない。従って、仕切り板組立後の移動作業時のばらけがなくなった。一方、仕切り板を外す時は軽い力で抜くことができ分解も容易である。
【００２４】
従来、二本の並行する直線刃によって形成されていた仕切り体の係合溝が一本の波型刃で形成される切り込み係合部となるため、組み仕切りの溝部分が少なくなり、抜き型で使用する刃の総長さが短くなった。これにより打ち抜き作業時の切断圧を下げることができ、同一面積における係合溝部を従来より増やすことが可能となるだけでなく、トムソン型の耐久性を高めることができるのである。
【００２５】
細い係合溝や、係止孔を形成しないため落丁作業が不要となり仕切体製造工程が容易になり、取り残し屑の箱体への混入がなくなった。
【００２６】
切り込み係合部をL字型あるいはT字型等、左右に延設することで、仕切り体組み込み時の切り溝の撓みの補助となり、組み込み易さがさらに増すと共に、仕切り溝の破れ止め効果も有る。また、抜き型からのトムソン刃の抜け落ち防止及び変形防止効果も奏するのである。
【００２７】
さらに、延設された切り込み部が組立後の仕切りを折り畳んだ時にシート厚みの逃げを形成するために折り畳み時の反発を低減して組み仕切りの嵩が低くなり、あらかじめ組み立てた仕切りの運搬、保存に便利である。
【００２８】
一種類の係合溝形状で数種類の厚みのシートが入るため、同一のトムソン型を使用して、種々の厚みの仕切り板を製造することができ汎用性が高まった。
【００２９】
組立後の仕切り板内寸法がシートの厚みによって変更可能となり、保存食品用瓶等のように微妙に寸法が異なる収納物であってもひとつのトムソン型を使用して最適な仕切り板を形成できるのである。
【００３０】
切り溝用トムソン刃が一本刃であるため、従来の細溝形成のために並列植設する二本の刃の高低差を同一にする微小な調整作業が不要となる。
【００３１】
細溝のカス取り作業に使用されていたゴムやコルク等の硬質サポート材を使用しないため打ち抜き作業が容易となり、且つトムソン型にかかる切断圧が低くなって型の耐久性が向上した。
【図面の簡単な説明】
【００３２】
【図１】本願のトムソン型の正面図。
【図２】同、一部拡大図。
【図３】本願にかかる仕切り体の正面図  。
【図４】同、一部拡大図。
【図５】a  他の実施例にかかる仕切り体の係合溝の形状を示す拡大図。
【００３３】
b  他の実施例にかかる仕切り体の係合溝の形状を示す拡大図。
【図６】本願にかかる仕切り体を組み合わせた状態を示す説明図。
【図７】包装用箱の蓋の係合部を示す説明図。
【考案を実施するための形態】
【００３４】
以下、本願の最良の実施形態について図面を参照しながら詳細に説明する。
【００３５】
図１は本願にかかるトムソン型を示している。トムソン型１は段ボール紙や厚紙、合成樹脂材から成るシート材を所要の形状に切り抜いて仕切り体を形成する時に使用されるもので、樹脂あるいは木材の合板などからなる平板状の基板２とこの基板２上に設けられた溝に本体部分を圧入して、刃先部分が突設されたトムソン刃３を植設し、トムソン刃の両側に適宜所定の間隔をあけて、弾性を有するサポート部材４、組み込み溝の間にはカス取り用の押し出し部材５が配設されている。
【００３６】
このサポート部材４や押し出し部材５はゴム、ウレタンエラストマー等の高密度弾性体で形成されている。
トムソン刃３は横長長方形の外枠7と等間隔で設けられた複数の組み込み部６によって構成される。
【００３７】
図２は当該、組み込み部６を拡大したものである。
【００３８】
組み込み部６は外枠７の上方に向けて拡開した開口部８から続く溝を形成するように二本のトムソン刃９−９を並列して植設し、各下端部９a―９aを中心に向けて傾斜させ先細り状の底部を有する溝を構成する。
【００３９】
また、トムソン刃９−９の間に押し出しスポンジ５を配して、スポンジ底面に設けた接着層を基台２に貼り付けて固定するのである。
【００４０】
当該溝の底部中央から下方に向けて係合切り目を切り欠く、係合部形成用トムソン刃１０を植設しさらに当該トムソン刃の端部１１を右方向に略直角に折り曲げて延設するのである。
【００４１】
係合部形成用トムソン刃１０はこの実施例ではサインカーブ状の波型を呈しているが、これに限定されるものではなく、三角状波、台形状波でも良く、凹部と凸部が交互に連続する形状であれば良い。仕切り体の板厚が薄くなるほど凹凸の高さは低くなる。
【００４２】
また、端部の折り曲げ方向や形状も本実施例に限定するものではなく、左右に延設して逆T字状、逆Y字状に形成しても良い。
【００４３】
トムソン刃を固定するためあるいは、仕切り溝の破れを防止するために端部を折曲して植設することは一般的に行われているが、この場合は、被切断材に切り目を形成しないように折曲部の刃高さを低くする等してシートに圧接しない工夫がなされている。一方、本願では波型係合部に続く切り目を形成することを目的としているため、折り曲げたトムソン刃の高さは、直線部分の刃高さと同一である。
【００４４】
係合部を形成するトムソン刃１０の両側にはサポート部材４−４を配設する。トムソン刃１０をサポートして係合部を適正に切欠するだけでなく、被切断材の係合部付近を押圧して圧縮する効果も有る。これにより段ボール等の厚みを有するシートは組み込み部付近が押し潰されて組み込みやすくなるのである。
【００４５】
次に、本願のトムソン型を使用して製造された仕切り体について説明する。
仕切り体は、所望幅及び所望高さに形成された、複数の縦仕切り体と横仕切り体とを天地を逆にして直角に交差させて井桁状に組み立て、包装用箱に収納して使用される。
【００４６】
図３は本願考案に係る仕切り体１２の正面図である。
【００４７】
仕切り体１２はシート状の被切断材を打ち抜いて製造された、長方形プレートであって、上側の長辺から下方へ伸びるように、他の仕切り体を嵌合するための組み込み部１３が複数、等間隔で形成されている。
【００４８】
組み込み部１３を拡大した図４によると、組み込み部１３は組み込み溝１４の上端を上方に向けて広がった開口部１５とし仕切り体の厚みに関係なく、溝幅を8mm程度と広く形成すると共に、開口部から下方に向けて組み込み溝１４を形成する。さらに組み込み溝１４の底面部をV字状に形成する。
【００４９】
開口部１５を一定の広幅に形成したことで、組み込み時のシート入れがスムーズに行え、また、組み込み溝１４に挿入された仕切り体は、係合位置と多少ずれていても、組み込み溝１４の底面形状によって適正位置である係合部へと誘導されるのである。
組み込み溝１４の底面部の形状は先細り形状等であって、組み込まれた仕切り体を係合部に誘導する機能を奏する形であればどのような形状であっても構わない。例えば、半円状に形成することもできる。
【００５０】
組み込み溝１４の中央下部に連続して形成された係合部は、波型トムソン刃によって作られた係合部１６であって、平面視において略サインカーブ形に連続して蛇行する曲線状の切断線となっている。係合部１６の先端部１７はさらに右方向に延長されており、全体として略L字型の波型形状を有する係合部となっている。
【００５１】
係合切り目の先端部を略直角に折り曲げて伸ばしたことで、切り目の破れを防止するだけでなく、組み立て中の仕切り体の撓みが補助的に増えるため、仕切り体の組み込み作業がスムーズに行え、また、仕切り体組立後に折り畳むと、横方向の切込部分１７が変形して開き、折りたたみ作業を妨げることがなく、折り畳んだ状態でも嵩が低くなり、仕切り体をあらかじめ組み立てて運搬、収納するのに便利である。
【００５２】
この係合部先端の切り目形状は本実施例に限定されるものではなく、組み込み時や折り畳み時の逃げの効果を奏する形状であれば良い。例えば片側だけでなく、左右両側に延長して、係合部全体として逆T字状の切り目としたり、逆Y字状の切り目にすることも可能である（図５参照）。
【００５３】
また、必ずしも先端部を折り曲げて延長せずに一本の波型切り目に形成することもある。サインカーブに沿った波型連続形状は、止め部を形成しなくても破断防止効果は期待できるからである。
【００５４】
図６で仕切り体の組立状態を示しているが、複数並列させた一の仕切り体の上方から、天地を反転させた他の仕切り体を組み込み部の広幅の開口部同士を噛み合わせるように挿入して組み立てていくのである。
【００５５】
この時、本願の仕切り体では、組み込む仕切り体の厚みに関係なく一定の幅広（８mm程度）の開口部を有するために仕切り体の挿入がし易く、一旦組み込み部に挿入されると組み込み溝に添って奥まで仕切り体をスムーズに押し込むことができ、組み込まれた仕切り体は、先細りに傾斜させて形成した組み込み溝の底面に沿って係合部へと誘導される。
【００５６】
本願の仕切り体の組み込み時の係合部は溝状に形成するのではなく、組み込み溝に連続して形成された、一本刃によって形成された波型切り目となっている。
【００５７】
すなわち、仕切り体が3mm以下である場合であっても、組み込み溝を薄い板厚に合わせて狭く形成する必要がない。従って、３mm以下の仕切り体製造工程における細い組み込み溝に起因するデメリットが本願のトムソン型及び仕切り体では生じないのである。
【００５８】
その後、波型形状を有する係合部同士は互いに凸部を乗り越えて進み、係合終了後は波型の凹凸が絡んで係止するため、組立後に仕切り体が外れることはない。一方、収納物運搬後の組み仕切りの解体時には大きな力を必要とすることなく分解も容易である。
【００５９】
図７は本願の仕切り体に設けた係合部を包装用箱の係合手段に応用させたものである。包装用箱にあっては、開封後の蓋の係止手段として蓋部に設けた凸部を本体の切り込み部に挿入する方法が一般的である。しかしながら、この方法ではロック機能が低く、軽い衝撃で係合が解除されて不都合が生じる。
【００６０】
また、段ボールの開口部のように粘着テープ等で封止すると、開封時に段ボールが粘着テープと共にはがれる等して損傷するため再利用を図りにくく、手間やコストもかかる。
【００６１】
そこで、包装用箱１８の本体１９の上縁１９ａの略中央部に一対のＶ字状切り込み２０を形成すると共に、波型トムソン刃による切り目２１を連続形成し、切り目端部２１ａが対向するように屈曲延設する。一方、蓋部のフラップ２２の対応個所にも一対のＶ字状切り込み２３を形成して波型切り目２４を連続形成すると共に、切り目端部２４ａ−２４ａを逆方向に屈曲延設するのである。
【００６２】
包装用箱１８のフラップ２２を本体１９に係合させると、波型切り目同士２１と２４が強固に係止し合うのである。
【産業上の利用可能性】
【００６３】
本考案はシート状部材の抜き型として使用され、平板ダイカッタ用としてだけでなく、ロータリーダイカッタ用に製作することもできる。また、仕切り体は運搬、保存用収納容器の仕切りとして利用できるのである。
【符号の説明】
【００６４】
１、トムソン型      ２、基台
３、トムソン刃      ４、サポート部材
５、押し出し部材    ６、組み仕切り部（トムソン型）
８、開口部          ９、組み込み溝形成用トムソン刃
１０、係合部形成用トムソン刃  １２、仕切り体
１３、組み込み部（仕切り体）  １４、組み込み溝
１６、係合部（切り目）        
【図１】
0003180329.tif 000003
【図２】
0003180329.tif 000004
【図３】
0003180329.tif 000005
【図４】
0003180329.tif 000006
【図５】
0003180329.tif 000007
【図６】
0003180329.tif 000008
【図７】
0003180329.tif 000009